(57)【要約】      （修正有）【課題】使用済み粘着シートの取替えを容易に行える清掃用粘着ロールを提供する。【解決手段】巻芯１０１の周囲に表面に粘着剤層が形成された粘着シートが多層巻回され、粘着シートの各巻回層に、中央部に隙間を設けて左右の始点Ｐｓから斜め後方に延びて終点Ｐｅが粘着シートの側端１０２ｃに達する切込み１０３を設ける。また、使用済み粘着シート１０２’の左右の切込み１０３の始点Ｐｓからの切り取りにより、左右の切込み１０３の始点間Ｐｓの隙間に、未使用粘着シートの使用開始にあたり後方に折り返される目印片１０５を形成する。【選択図】図４
0003178094.tif 000002
【実用新案登録請求の範囲】
【請求項１】
巻芯の周囲に表面に粘着剤層が形成された粘着シートが多層巻回され、粘着シートの各巻回層に、中央部に隙間を設けて左右の始点から斜め後方に延びて終点が粘着シートの側端に達する切込みが設けられ、使用済み粘着シートの左右の切込みの終点からの切り取りにより、左右の切込みの始点間の隙間に、未使用粘着シートの使用開始にあたり後方に折り返される目印片が形成されることを特徴とする清掃用粘着ロール。
【請求項２】
左右の切込みの始点間の隙間に、左右の切込みの延長線上にミシン目が設けられていることを特徴とする請求項１記載の清掃用粘着ロール。
【請求項３】
左右の切込みの始点間の隙間の幅が２ｍｍ〜３ｍｍであることを特徴とする請求項１または請求項２記載の清掃用粘着ロール。
【請求項４】
左右の切込みと粘着シートの側端のなす角度が３０度〜４５度であることを特徴とする請求項１ないし請求項３のいずれか一項に記載の清掃用粘着ロール。
【考案の詳細な説明】
【技術分野】
【０００１】
本考案は、カーペットやじゅうたん等のごみを取り除くために用いる清掃用粘着ロールに関するものである。
【背景技術】
【０００２】
従来より、カーペットやじゅうたんの上にこぼしたお菓子のくずや付着した糸くず、ペットの毛、髪の毛等のごみを取り除く清掃用具として、粘着ロールが市販されている。この粘着ロールは、円筒形の巻芯の周囲に粘着シートが多層巻回されており、柄の先端に回転自在に装着して使用するようになっている。すなわち、柄を手でもって先端の粘着ロールをカーペットやじゅうたんの上に軽く押し付けて、前進あるいは後退させ、カーペット上のごみを粘着シートの表面に付着させてカーペットから取り除くようになっている。粘着シートに多数のごみが付着すると、粘着力が低下するので、その場合、一番外側の使用済み粘着シートを一周分剥離し、その下の未使用粘着シートを露出させ、再び使用を開始するようにしている。
【０００３】
上記粘着ロールとして、例えば巻芯に巻回された粘着シートに巻芯の軸方向に沿ってミシン目を設け、ミシン目に沿って使用済み粘着シートを１周分切り取りできるようにしたものが提案されている（特許文献１参照）。
【先行技術文献】
【特許文献】
【０００４】
【特許文献１】実開昭６２−７６２５８号公報
【考案の概要】
【考案が解決しようとする課題】
【０００５】
しかしながら、上記従来の粘着ロールは、粘着シートに多数のごみが付着すると、表面の色が灰色〜黒色化してミシン目の色と区別が付きにくく、またミシン目の上にごみが付着して、ミシン目の位置を見付けにくいという問題があった。また、ようやくミシン目の位置を見付けたとしても、指先の力の弱い高齢者や女性にとっては、ミシン目の切り取り端部を指でつまんではがしにくいという問題があった。したがって、使用済み粘着シートの取替えに手間がかかるという問題があった。
【０００６】
本考案は、上記課題に鑑みてなされたもので、使用済み粘着シートの取替えを容易に行える清掃用粘着ロールを提供することを目的とする。
【課題を解決するための手段】
【０００７】
上記課題を解決するために、本考案に係る清掃用粘着ロールは、巻芯の周囲に表面に粘着剤層が形成された粘着シートが多層巻回され、粘着シートの各巻回層に、中央部に隙間を設けて左右の始点から斜め後方に延びて終点が粘着シートの側端に達する切込みが設けられ、使用済み粘着シートの左右の切込みの終点からの切り取りにより、左右の切込みの始点間の隙間に、未使用粘着シートの使用開始にあたり後方に折り返される目印片が形成されることを主要な特徴とする。
【０００８】
本考案に係る清掃用粘着ロールによると、使用済み粘着シートの剥離により、左右の切込みの始点間の隙間に三角状に形成される目印片を後方に折り返すことにより、目印片は粘着剤が塗布されていない裏面が上になるので、粘着剤が塗布された粘着シートの表面には多数のごみが付着するが、目印片の上面にはごみが付着しないので、使用済み粘着シートの取替え時に、目印片の位置を色で容易に識別でき、左右の切込みの終点位置を見付ける際の目印となる。したがって、左右の切り取り開始位置を容易に見付けることができる。
【０００９】
また、本考案に係る清掃用粘着ロールによると、左右の切込みの終点位置から、使用済み粘着シートの後端片を指でつまんで左右の切り込みの終点から前方の始点に向けて切り取り、１周分の使用済み粘着シートを容易に剥離できる。１周分の使用済み粘着シートを剥離したら、未使用の粘着シートが露出する。また、使用済み粘着シートの剥離により、左右の切込みの始点間の隙間に再び三角状の目印片が形成され、同目印片を後方に折り返すことにより、粘着ロールを再び使用可能とする。
【００１０】
本考案に係る清掃用粘着ロールは、左右の切込みの始点間の隙間に、左右の切込みの延長線上にミシン目が設けられていることを第２の特徴とする。
【００１１】
本考案に係る清掃用粘着ロールは、左右の切込みの始点間の隙間の幅が２ｍｍ〜３ｍｍであることを第３の特徴とする。
【００１２】
本考案に係る清掃用粘着ロールは、左右の切込みと粘着シートの側端のなす角度が３０度〜４５度であることを第４の特徴とする。
【考案の効果】
【００１３】
以上説明したように、本考案に係る清掃用粘着ロールによると、粘着シートの左右の切込みの始点間の隙間に三角状に形成される目印片を後方に折り曲げて使用することにより、折り曲げられた目印片が目印となって、使用済み粘着シートの左右の切込みの終点位置を容易に見付けることができ、また、同終点位置を切り取り開始位置として、当該位置から使用済み粘着シートの後端を指でつまんで前方に向けて切り取り、１周分の使用済み粘着シートを容易に剥離することができ、これにより、使用済み粘着シートを容易に取り替えることができるという優れた効果を奏する。
【００１４】
また、視力が低下して、あるいは指先の力が低下して、使用済み粘着シートを剥離させにくい特に高齢者にとって、使用済みシートを容易に取り替えできることで、日々の清掃が楽しくなり、充実した生活が送れるようになる。
【図面の簡単な説明】
【００１５】
【図１】本考案に係る粘着ロールを支持具に装着した状態を示す斜視図、
【図２】（Ａ）は図１に示す粘着ロールの平面図、（Ｂ）はその側面図、
【図３】（Ａ）ないし（Ｃ）は図１に示す粘着ロールの使用手順を示す説明図、
【図４】（Ａ）および（Ｂ）は図１に示す粘着ロールの使用済み粘着シートを取り替える手順の前半を示す説明図、
【図５】（Ａ）および（Ｂ）は図１に示す粘着ロールの使用済み粘着シートを取り替える手順の後半を示す説明図である。
【考案を実施するための最良の形態】
【００１６】
以下、本考案の実施の形態を、図面を参照して説明する。
図１ないし図５は本考案の一実施形態を示すもので、図１において、符号１００は粘着ロール、符号１０は支持具を示している。
【００１７】
粘着ロール１００は、図２に示すように、円筒形の巻芯１０１の外面に長尺な粘着シート１０２が多層巻回されている。粘着シート１０２の表面１０２ａ（図３参照）には図示しない粘着剤層が形成されている。粘着シート１０２の裏面１０２ｂ（図５参照）は非粘着面とされている。粘着シート１０２の表面１０２ａには、平面視して、中央部に隙間Ｓを設けて左右の始点Ｐｓ，Ｐｓから斜め後方に延びて終点Ｐｅ，Ｐｅが粘着シート１０２の側端１０２ｃ，１０２ｃに達する切込み１０３，１０３が各巻回層に設けられている。左右の切込み１０３，１０３の始点Ｐｓ，Ｐｓ間の隙間Ｓには、左右の切込み１０３，１０３の延長線上にミシン目１０４，１０４が設けられている。左右のミシン目１０４，１０４は中央でつながっている。
【００１８】
左右の切込み１０３，１０３の始点Ｐｓ，Ｐｓ間の隙間Ｓには、使用済み粘着シート１０２’の左右の切込み１０３，１０３の始点Ｐｓ，Ｐｓからの切り取りにより、未使用粘着シート１０２’’の使用開始にあたり後方に折り曲げられる目印片１０５が形成されるようになっている。
【００１９】
なお、左右の切込み１０３，１０３の始点Ｐｓ，Ｐｓ間の隙間Ｓの幅は２ｍｍ〜３ｍｍに設定されている。また、左右の切込み１０３，１０３と粘着シート１０２の側端１０２ｃ，１０２ｃのなす角度αは３０度〜４５度に設定されている。
【００２０】
上記構成の粘着ロール１００は、図１に示す支持具１０に装着して使用する。支持具１０は柄１１の先端の支持部１２の水平軸１３に支持ローラ１４が回転自在に装着されており、同支持ローラ１４に粘着ロール１００の巻芯１０１を外装するようになっている。
次に、支持具１０に装着された清掃用粘着ロール１００について、使用方法と使用済み粘着シートの取替え方法について、以下に説明する。
【００２１】
まず、準備段階として、図２に示す粘着ロール１００を支持具１０に装着し、粘着シート１０２表面の保護シート１０７を剥離する。保護シート１０７は左右の切り込み１０３，１０３の終点Ｐｅ，Ｐｅに位置する後端鋭角片１０６，１０６をつまんで切り込み１０３，１０３に沿って前方に折返し、切り込み１０３，１０３の始点Ｐｓ，Ｐｓからミシン目１０４，１０４に沿って切り取り、三角形状の目印片１０５を残して同切り取り線を頂点でつなぎ、１周させて保護シート１０７を剥離する。最後に三角形状の目印片１０５を上向き後方に折り返し、目印片１０５の粘着剤付き表面を粘着シート１０２の表面に接着する。
【００２２】
かかる状態で、図３（Ａ）ないし図３（Ｃ）に示すように、支持具１０の柄１１を持って、粘着ロール１００をフロアＦの表面に軽く圧着させ、粘着ロール１００を転がすように矢印に向けて前進させると、フロアＦ表面上のゴミ１が粘着シート１０２の表面１０２ａに付着され、フロアＦの表面から取り除かれる。
【００２３】
繰り返し使用により、粘着ロール１００の粘着シート１０２表面には多数のゴミ１が付着するが、三角形状に折り返された目印片１０５の上面は非粘着面であるので、目印片１０５の上面にはゴミ１が付着されることがなく、したがって、図３（Ｃ）に示すように、目印片１０５以外の粘着シート１０２表面は多数付着したゴミ１で灰色または黒色に変化するが、目印片１０５の上面は元の白色のままであり、目印片１０５の位置を容易に把握することができる。
【００２４】
目印片１０５の位置を容易に把握できるので、左右の切り込み１０３，１０３の終点Ｐｅ，Ｐｅの位置を容易に見付けることができる。
【００２５】
切り込み１０３，１０３の終点Ｐｅ，Ｐｅの位置を見付けたら、図４（Ａ）から図４（Ｂ）に示すように、切り取り開始位置として、使用済み粘着シート１０２’の後端鋭角片１０６，１０６をつまんで切り込み１０３，１０３に沿って前方に折返すとともに、切り込み１０３，１０３の始点Ｐｓ，Ｐｓからミシン目１０４，１０４に沿って切り取り、図５（Ａ）から図５（Ｂ）に示すように、未使用粘着シート１０２’’の三角部分（目印片１０５’部分）を残して、１周分の使用済み粘着シート１０２’を剥離する。
【００２６】
使用済み粘着シート１０２’を剥離した後の粘着ロール１００には、図５（Ｂ）に示すように、下層の未使用粘着シート１０２’’および左右の切り込み１０３，１０３が表面に露出し、また、左右の切り込み１０３，１０３の間に三角形状の目印片１０５’が出現する。後は三角形状の目印片１０５’を後方に折り返すと、図３（Ａ）に示す使用開始状態となる。
【００２７】
後は、図３ないし図５に示す手順に従い、未使用粘着シート１０２’’によるゴミ１の取り除き作業と、使用済みシート１０２’の取替え作業を行う。
【００２８】
本考案の粘着ロール１００によると、粘着シート１０２の中央に、折返し後の上面が非粘着面の目印片１０５を形成したから、粘着ロール１００の繰り返し使用後、目印片１０５の位置から、切り取り開始位置である使用済み粘着シート１０２’の後端鋭角片１０６，１０６の位置を容易に見付けることができる。
【００２９】
また、使用済み粘着シート１０２’の後端鋭角片１０６，１０６は鋭角であり、凸状に湾曲されているから、指で容易につまむことができ、後端鋭角片１０６，１０６を容易に持ち上げて、使用済み粘着シート１０２’を切込み１０３，１０３に沿って容易に剥離できる。したがって、未使用粘着シート１０２’’への取替えを容易に行える。
【００３０】
視力や指の力の低下した高齢者であっても、使用済み粘着シート１０２’の剥離開始位置を容易に見付け、また、剥離開始部位を容易に摘み上げることができ、使用済み粘着シート１０２’を楽に剥離できる。
【００３１】
使用済み粘着シート１０２’の剥離後は、未使用粘着シート１０２’’の前端の中央に三角形状の目印片１０５が残り、目印片１０５を上向き後方に折り返すだけで、粘着ロール１００の繰り返し使用により、切り込み１０３、ひいては切り込み１０３の終点Ｐｅにある後端鋭角片１０６の位置を容易に見付けることができる。
【００３２】
使用済み粘着シート１０２’の剥離後は、剥離動作にともなって、未使用粘着シート１０２’’の前端の中央に残る三角形状の目印片１０５が持ち上がるので、同目印片１０５を容易に折り返すことができる。
【００３３】
なお、粘着シート１０２の切り込み１０３，１０３の間のミシン目１０４，１０４は無くてもよい。切り込み１０３，１０３に沿って使用済み粘着シート１０２’を剥離すると、切り込み１０３，１０３の間が三角形状に切り取りされるから、この場合でも目印片１０５が形成される。
【００３４】
かくして、本考案によれば、使用済み粘着シートを容易に取り替えることができ、粘着シートを最後まで気持ちよく使い切ることができ、高齢者にやさしく、楽しく清掃を行える清掃用粘着ロールを実現できる。
【産業上の利用可能性】
【００３５】
本考案に係る清掃用粘着ロールは、カーペットやじゅうたん等のごみを取り除くために用いる粘着ロールとして利用可能である。
【符号の説明】
【００３６】
１  ごみ
１０  支持具
１１  柄
１２  支持部
１３  水平軸
１４  支持ロール
１００  粘着ロール
１０１  巻芯
１０２  粘着シート
１０２’使用済み粘着シート
１０２’’未使用粘着シート
１０２ａ  表面
１０２ｂ  裏面
１０２ｃ  側端
１０３  切り込み
１０４  ミシン目
１０５  目印片
１０６  後端鋭角片
１０７  保護シート
Ｆ  フロア
【図１】
0003178094.tif 000003
【図２】
0003178094.tif 000004
【図３】
0003178094.tif 000005
【図４】
0003178094.tif 000006
【図５】
0003178094.tif 000007